(57)【特許請求の範囲】
【請求項１】
遊技機における枠体の正面には遊技機に使用する遊技球を収容する上方に開口された遊技球収容部を有する皿が設けられた遊技機において、遊技球収容部の開口の周囲における上面には１個の上記遊技球を保持し得る複数の凹部が当該上面から皿の内部に窪む形態に設けられ、各凹部には数値による番号を順番に１個ずつ付したことを特徴とする遊技機。
【請求項２】
凹部の設けられた上面は遊技者と対向する側である外側から遊技球収容部の開口部にかけて傾斜する傾斜面として形成されたことを特徴とする請求項１記載の遊技機。
【請求項３】
凹部の設けられた上面は遊技球収容部の開口部から遊技者と対向する側である外側へ下方に傾斜する傾斜面として形成されたことを特徴とする請求項１記載の遊技機。
【発明の詳細な説明】
【０００１】
【産業上の利用分野】
本発明は、パチンコ機等の遊技機で、例えば投入した硬貨の枚数、図柄変動の回数、リーチの回数、あるいは大当りの回数等を、一目で判別し得る遊技機に関する。
【０００２】
【従来の技術】
一般に、遊技機としては、所定部位への遊技球の入球で駆動する図柄変動装置を備える遊技領域に遊技球を発射して、その遊技領域の構成に従う所定の遊技を行い、所定数の賞球、例えば図柄変動装置の大当りによる遊技の結果得られる所定数の賞球を上皿に供給するパチンコ遊技機、あるいは、図柄変動装置を備える遊技領域に予め設定された所定数の遊技球のみを巡回的に発射して、打ち終わったその都度、その所定数の遊技球の入球状況に応じて遊技を楽しむアレンジボール遊技機等が知られている。
【０００３】
図柄変動装置は動作してからリーチする確率、リーチしてから大当りになる確率等が予め規定されているものが多く、遊技者の中には使用した硬貨の枚数、図柄変動装置の動作する回数、リーチの回数、大当りの回数等を遊技の進行中に計数しておきたい人がいる。
【０００４】
従来、使用した硬貨の枚数、図柄変動装置の動作する回数、リーチの回数、大当りの回数を遊技の進行中に計数する方法として、図柄変動装置が動作する毎に、遊技機の上皿、または島等に設置される灰皿に遊技球を１つずつ置いてゆき、後でこの灰皿内の遊技球を数えることにより、使用した硬貨の枚数等を知るという方法がある。
【０００５】
また灰皿以外にも、図１３に示すように、上皿１の外周を覆う上皿レンズ３の図示右側、即ち上皿レンズ３の図示しない遊技球の発射装置側の上面に四角い枠５で囲った物品載置部７に、図柄変動装置が動作する毎に遊技球を１つずつ置いてゆくという方法もある。
【０００６】
物品載置部７には例えばタバコ等を置くことが多く、そのような他の物品載置部として、図１４に示すように、上皿レンズ９の一部に凹部状の物品載置部１１を構成したり、また凹部状の硬貨用の物品載置部１３を構成したものもあり、さらに図１５に示すように、上皿１５における遊技球を１列に整列する通路１７に沿う位置の上皿レンズ１９にかなり広い面積を枠で囲う、あるいは凹部状にした硬貨用の硬貨入れ部２１を構成したものもある。
【０００７】
また一方、図柄変動装置の動作する回数、リーチの回数、大当りの回数を遊技の進行中に計数する他の方法として、動作する回数、リーチの回数、大当りの回数をＣＰＵで演算し、演算結果をＬＥＤで構成した図柄変動装置の一部に数値表示するという方法もある。
【０００８】
【発明が解決しようとする課題】
灰皿、または物品載置部７、１１、１３、あるいは硬貨入れ部２１を使用する場合、遊技球をいくつ置いたのか分からなくなるから、後で１つ１つ数えるという行為が必要になり、非常に面倒である。
【０００９】
またＣＰＵの演算結果を図柄変動装置の一部に数値表示するという方法の場合、数を数える必要がなく、一目で情報を認識できるが、数値表示するための余計な設備、プログラムを必要とするから、コスト高になる欠点がある。しかも計数する情報の種別が予め決定されており、遊技者が望む使用した硬貨の枚数を計数したい場合等は計数することができない。またその方法の場合、図柄変動装置の所定の表示領域に図柄変動装置の動作する回数、リーチの回数、大当りの回数を数値表示する構成であるため、ドラムが回転する機械式の図柄変動装置等には全く使用することができず、その場合、灰皿等に頼らざるを得ない。
【００１０】
本発明は、上記課題に鑑みて成されたもので、遊技者が計数したい情報を数を数える必要がなく一目で計数することができ、しかもその計数を低コストで行える構成を採用した遊技機を提供することを目的とする。
【００１１】
【課題を解決するための手段】
請求項１記載の発明は、遊技機における枠体の正面には遊技機に使用する遊技球を収容する上方に開口された遊技球収容部を有する皿が設けられた遊技機において、遊技球収容部の開口の周囲における上面には１個の上記遊技球を保持し得る複数の凹部が当該上面から皿の内部に窪む形態に設けられ、各凹部には数値による番号を順番に１個ずつ付したことを特徴とする。請求項２記載の発明は、凹部の設けられた上面は遊技者と対向する側である外側から遊技球収容部の開口部にかけて傾斜する傾斜面として形成されたことを特徴とする。請求項３記載の発明は、凹部の設けられた上面は遊技球収容部の開口部から遊技者と対向する側である外側へ下方に傾斜する傾斜面として形成されたことを特徴とする。
【００１２】
【作用】
請求項１記載の発明では、例えば、遊技者が、硬貨を遊技に使用するための遊技球と交換するごとに、遊技中の図柄変動ごとに、リーチごとに、大当りごとに、遊技に使用する遊技球を数値の小さい番号の付された凹部から数値の大きい番号の付された凹部へと置いてゆく。請求項２記載の発明では、遊技者が手で凹部に保持された遊技球を当該凹部から持ち上げることによって、持ち上げられた球が傾斜面を転がって遊技球収容部に入る。請求項３記載の発明では、遊技球収容部の上面から深さが請求項２の発明と同じである場合、傾斜面の外側縁が遊技球収容部の開口よりも低くなる。
【００１３】
【実施例】
以下、本発明を図示の実施例に基づいて説明する。
図１は本発明の第１実施例に係わる遊技機の正面を示す正面図で、開閉自在のガラス窓３１の奥に配置されたベニヤ等の表面に所定のセルロイド板等を介して構成されるものであって、アウターレール３３で囲まれる遊技領域３７には、複数の遊技釘が打ち込まれて多くの遊技球の流下通路が構成され、中央には図柄変動装置３９が設置され、図柄変動装置３９の周囲の所定位置には入賞装置４１，４３が設置されている。
【００１４】
図柄変動装置３９は、ＬＥＤ等を用いた画像表示式のものでも良く、ドラムが回転する機械式のものでも良い。入賞装置４１は遊技球の入賞で図柄変動装置３９の駆動開始を指令する第１種始動口として機能する。
【００１５】
この遊技領域３７は、遊技機本体を構成するガラス窓３１、枠体３２に囲われる如く配置されて枠体３２に支持されており、枠体３２の図示しない開口の上部側に対してはガラス窓３１が開閉自在に設置され、開口の下部側に対しては上皿４７が壁体を介して開閉自在に設置されている。
【００１６】
上皿４７には上皿レンズ４９を以て右斜めに傾斜する遊技球収容部５１が構成されている。遊技球収容部５１における遊技機本体側の側面の上流側には賞球取入口５３が構成され、最下流側には図示しない打球口及び排出口が構成されている。打球口は図示しない遊技球の発射装置に連通しており、排出口は下皿５５の取入口５７に連通している。
【００１７】
枠体３２における上皿４７の設置位置の下方に対しては下皿５５が設置されており、枠体３２における下皿５５の右側には遊技球の発射装置の駆動を制御するハンドルグリップ５９が設置されている。
【００１８】
一方、符号６０は計数表示部であり、この計数表示部６０は、上皿レンズ４９における遊技球収容部５１以外の上面４９ａに設けられる。即ち上皿レンズ４９の遊技球収容部５１以外の上面４９ａにおける賞球取入口５３に対応する側は、図３に示すように、外側から内側にかけて傾斜する傾斜面となっており、この傾斜面には、図２にも示すように、遊技球を保持し得る１５個の凹部６１が所定間隔を以て２列に配列されており、各凹部６１の底面には順番に番号等の符号が付されている。内側（枠体３２側）の列の各凹部６１のうち最も左側の凹部６１ａには番号１番が付され、右側の凹部６１へ移る程に順次大きな番号が付され、最も右側の凹部６１ｂには番号１５番が付されている。外側の列の凹部６１のうち最も左側の凹部６１ｃには番号１６番が付され、以下同様に順次大きな番号が付され、最も右側の凹部６１ｄには番号３０番が付されている。
【００１９】
しかし、このような連番の方式に限定されるものではなく、内側の列の最も左側の凹部６１ａに番号１番を付し、外側の列の最も左側の凹部６１ｃに番号２番を付す如く他の連番の方式でも良い。各凹部６１に付される番号等の符号は印刷されたものでも良く、刻印される如く構成されたものでも良い。
【００２０】
次に本実施例の一使用例の作用について説明する。
先ず遊技を行うため、所定の遊技球の交換機に例えば１枚の硬貨を投入し、その１枚の硬貨と交換に得た所定数の遊技球を上皿４７の遊技球収容部５１に収容した場合、遊技者は上皿レンズ４９における各凹部６１のうち、番号１番が付されている凹部６１ａに１つの遊技球を載置し、その凹部６１ａで１つの遊技球を保持する。
【００２１】
しかして遊技を楽しんだ後、遊技球収容部５１内に収容された遊技球が少なくなった、あるいは無くなったことで、再び、所定の遊技球の交換機に例えば１枚の硬貨を投入し、その１枚の硬貨と交換に得た所定数の遊技球を上皿４７の遊技球収容部５１に収容した場合、遊技者は上皿レンズ４９における各凹部６１のうち、次は番号２番が付されている凹部６１ａに１つの遊技球を載置し、その凹部６１ａで１つの遊技球を保持する。そして遊技を行う。
【００２２】
かくの如く所定の遊技球の交換機に例えば１枚の硬貨を投入し、その１枚の硬貨と交換に得た所定数の遊技球を上皿４７の遊技球収容部５１に収容する毎に、付された番号が順次大きくなる凹部６１に対し順次遊技球を載置し、その凹部６１で１つずつの遊技球を保持する。
【００２３】
しかして例えば遊技の途中、遊技者が上皿レンズ４９の各凹部６１を一目した場合、最後に保持した凹部６１に付されている番号が何番であるかを認識することが容易に可能であり、その認識と同時に何枚の硬貨を投入して遊技球に交換したのかを知ることができる。
【００２４】
以上、本実施例では、上皿レンズ４９における上面の縁側に複数の凹部６１を配列し、各凹部６１に順番に番号等の符号を付したから、所定の契機毎に、番号が順次大きくなる順番の凹部６１に順次遊技球を置いてゆけば、遊技者が一目するだけで、その遊技球の数を数えなくとも、その遊技球の数を遊技者が望む情報として、例えば投入した硬貨の枚数等に換算して計数することができる。
【００２５】
また上皿レンズ４９における上面の縁側、即ち複数の凹部６１が配列形成される面が上皿レンズ４９の外側から内側へ下方に傾斜する傾斜面として構成されているから、例えば遊技中に大当りが発生したところ遊技球収容部５１内に遊技球が無くなっていた場合等、複数の凹部６１のうち特定の凹部６１に保持された遊技球を例えば指で弾く等すればその遊技球を傾斜面を転がして遊技球収容部５１へ収容することが容易であり、緊急用の遊技球として利用することが簡単にできる。
【００２６】
図４は本発明の第１実施例の変形例の構成を示す一部断面図で、図３と同一部分には同一符号を付してある。この場合、上皿４７’における上皿レンズ４９’の上面の縁側、即ち１つずつの遊技球を保持し得る複数の凹部６１が配列形成される面が、上皿レンズ４９’の内側（遊技球収容部５１側）から外側へ下方に傾斜する傾斜面として構成されている点のみ相違する。
【００２７】
この変形例の場合、上皿レンズ４９'の上面の縁側、即ち複数の凹部６１が配列形成される面が、内側（遊技球収容部５１側）から遊技者と対面する側である外側へ下方に傾斜するから、遊技球収容部５１の上面からの深さを第１実施例と同じ寸法にした場合、傾斜面の外側縁の高さが低くなり、その分、上皿４７'の小型化を図ると共にデザイン的に向上させることができる。勿論、複数の凹部６１のうち特定の凹部６１に保持された遊技球を緊急用の遊技球として利用することも容易に可能である。
【００２８】
尚、上記実施例及びその変形例では、凹部６１を上皿４７に配列形成する場合について説明したが、これは下皿５５に構成しても良い。
【００２９】
図５は本発明の第２実施例の構成を示す正面図で、図１と同一部分には同一符号を付してその説明を省略する。本実施例の場合、計数表示部７１は、透明ないし半透明の物質から横型の箱状に構成されてガラス窓３１の下部側の縁に配置されており、図６（ａ）（ｂ）にも示すように、右方へゆく程高さが高くなる右上がりの取付け面（この取付け面の裏面側は接着剤等でガラス窓３１に接合される側の面となり、下端はガラス枠３１ａに当接する）７１ａと、取付け面７１ａの長手方向の上端側の縁（図示左側へ傾斜する）から一様に同一寸法で前方に突出して遊技球を載置する載置面（底面）（図示左側へ傾斜する）７１ｂと、載置面７１ｂの前方の縁から一様に同一寸法で上方に突出する側壁面（前面）７１ｃと、載置面７１ｂの図示左端側及び側壁面７１ｃの図示左端側を連絡する如く配置されて遊技球の左側への転がりを係止する係止面（側面）７１ｄとを備えて構成されている。尚、図示しないが載置面７１ｂの図示右端側及び側壁面７１ｃの図示右端側にも両者を連絡する如く配置される側面が設けられているものと考えても良い。上面となる部分は全て開口７１ｅとなっている。
【００３０】
側壁面７１ｃには、正面側ないし裏面側において、載置面７１ｂ全面に遊技球を保持したときに各遊技球の中心位置に対応する位置に、左から右へ数値が大きくなる番号（１，２，３…）等の符号が付されている。各番号等の符号は印刷されたものでも良く、刻印される如く構成されたものでも良い。
【００３１】
一方、載置面７１ｂには、図示左側即ち先頭の遊技球に対応して引抜き口７１ｈが設けられ、この引抜き口７１ｈに対応する部位には、載置面７１ｂに平行なガイド板７１ｉが設けられ、このガイド板７１ｉの上にスライド板７１ｊが設けられ、このスライド板７１ｊのつまみ７１ｋを操作することにより、引抜き口７１ｈを介して遊技球を引抜いて、ガイド７１ｍより遊技球収容部５１へ供給することができるように構成されている。
【００３２】
次に本実施例の一使用例の作用について説明する。
先ず遊技を行うため、所定の遊技球の交換機に例えば１枚の硬貨を投入し、その１枚の硬貨と交換に得た所定数の遊技球を上皿４７の遊技球収容部５１に収容した場合、遊技者は、計数表示部７１の上面の位置に相当する位置の開口７１ｅに１つの遊技球を投入する。その遊技球は、載置面７１ｂが図示左側へ傾斜するから載置面７１ｂ上を図示左側へ向けて転がり、係止面７１ｄに当接して止る。このときその遊技球の中心位置は側壁面７１ｃに付されている各番号等の符号のうち１番と付されている番号の位置に一致する。
【００３３】
しかして遊技を楽しんだ後、遊技球収容部５１内に収容された遊技球が少なくなった、あるいは無くなったことで、再び、所定の遊技球の交換機に例えば１枚の硬貨を投入し、その１枚の硬貨と交換に得た所定数の遊技球を上皿４７の遊技球収容部５１に収容した場合、遊技者は、再び、計数表示部７１の上面の位置に相当する位置の開口７１ｅに１つの遊技球を投入する。すると、その遊技球は、載置面７１ｂが図示左側へ傾斜するから載置面７１ｂ上を図示左側へ向けて転がり、側壁面７１ｃに付されている各番号等の符号のうち１番と付されている番号の位置に停止する先の遊技球に当接して止る。このときその遊技球の中心位置は側壁面７１ｃに付されている各番号等の符号のうち２番と付されている番号の位置に一致する。
【００３４】
かくの如く所定の遊技球の交換機に例えば１枚の硬貨を投入し、その１枚の硬貨と交換に得た所定数の遊技球を上皿４７の遊技球収容部５１に収容する毎に、計数表示部７１の上面の位置に相当する位置の開口７１ｅに１つの遊技球を投入する。
【００３５】
しかして例えば遊技の途中、遊技者がガラス窓３１の下端側に設置された計数表示部７１を一目した場合、最後に保持した遊技球の停止位置に一致する側壁面７１ｃに付されている番号が何番であるかを認識することが容易に可能であり、その認識と同時に何枚の硬貨を投入して遊技球に交換したのかを知ることができる。
【００３６】
一方、遊技の最中に、例えば図柄変動装置３９が大当りに揃ったところ遊技球収容部５１に遊技球が無くなっていた場合、つまみ７１ｋを操作して引抜き口７１ｈを開放すると、計数表示部７１で保持していた遊技球をガイド７１ｍを通して遊技球収容部５１へ供給することができる。
【００３７】
以上、本実施例では、ガラス窓３１の下端の縁側に、上面となる位置に開口７１ｅを有し左側へ傾斜する箱状の計数表示部７１を構成し、正面に位置する側壁面（前面）７１ｃに順番に番号等の符号を付したから、所定の契機毎に、開口７１ｅに順次遊技球を投入してゆけば、各遊技球に各番号等の符号が対応し、遊技者が最後に投入した遊技球に対応する番号を一目するだけで、その遊技球の数を数えなくとも、その遊技球の数を遊技者が望む情報として、例えば投入した硬貨の枚数等に換算して計数することができる。
【００３８】
尚、本実施例の計数表示部７１の構成は、上述した構成に限定されるものではなく、即ち取付け面７１ａを載置面７１ｂの内側となる位置に計数表示部７１の背面として構成し、載置面のみが右上がりに傾斜するという構成でも良い。勿論、計数表示部７１に保持された遊技球を緊急用の遊技球として利用することも容易に可能である。
【００３９】
図７は本発明の第３実施例の構成を示す正面図で、図１と同一部分には同一符号を付してその説明を省略する。本実施例の場合、計数表示部８１は、透明ないし半透明の物質から縦型の箱状に構成されてガラス窓３１の図示左側の縁に配置されており、図８にも示すように、前面８１ａ、後面８１ｂ、左右の側面８１ｃ，８１ｄ、及び底面８１ｅで構成され、上面となる位置に開口８１ｆを形成している。底面８１ｅ、及び開口８１ｆの面積は１つの遊技球より若干大きい程度の面積である。
【００４０】
後面８１ｂはガラス窓３１に接着剤等で接合される側の面となり、図示手前側の側面８１ｃは上皿４７の方向に向けられ、底面８１ｅは側面８１ｃ側に傾斜されている。側面８１ｃにおける下端側には遊技球を通過し得る面積の開口窓８１ｇが形成されており、この開口窓８１ｇには当該開口窓８１ｇを開閉する摺動式の扉８１ｈが構成されている。摺動式の扉８１ｈの外側の下端には遊技者がつまみ得る突起８１ｊが形成されている。
【００４１】
側面８１ｃにおける外側の下端側には、底面８１ｅ及び開口窓８１ｇと連絡し下方へ傾斜するガイド８３が構成されており、図示しないがガイド８３の先端を遊技球収容部５１に向けている。
【００４２】
一方、開口８１ｆは遊技球を投入するための開口となっており、前面８１ａの表面には開口８１ｆから遊技球を投入して保持した際に各遊技球の中心に対応する位置に下側から上側へ順次数値が大きくなる番号等の符号が付されている。各番号等の符号は印刷されたものでも良く、刻印される如く構成されたものでも良い。
【００４３】
次に本実施例の一使用例の作用について説明する。
先ず遊技を行うため、所定の遊技球の交換機に例えば１枚の硬貨を投入し、その１枚の硬貨と交換に得た所定数の遊技球を上皿４７の遊技球収容部５１に収容した場合、遊技者は、扉８１ｈを閉じた状態で、計数表示部８１の上面の位置に相当する位置の開口８１ｆに１つの遊技球を投入する。その遊技球は、前面８１ａ、後面８１ｂ、側面８１ｃ，８１ｄの内側に沿って落下し、底面８１ｅに衝突して止る。このとき底面８１ｅ上に止る遊技球の中心位置は前面８１ａに付されている各番号等の符号のうち１番と付されている番号の位置に一致する。
【００４４】
しかして遊技を楽しんだ後、遊技球収容部５１内に収容された遊技球が少なくなった、あるいは無くなったことで、再び、所定の遊技球の交換機に例えば１枚の硬貨を投入し、その１枚の硬貨と交換に得た所定数の遊技球を上皿４７の遊技球収容部５１に収容した場合、遊技者は、再び、計数表示部８１の上面の位置に相当する位置の開口８１ｆに１つの遊技球を投入する。すると、その遊技球は、前面８１ａ、後面８１ｂ、側面８１ｃ，８１ｄの内側に沿って落下し、前面８１ａに付されている各番号等の符号のうち１番と付されている番号の位置に停止する先の遊技球に当接して止る。このときその遊技球の中心位置は前面８１ａに付されている各番号等の符号のうち２番と付されている番号の位置に一致する。
【００４５】
かくの如く所定の遊技球の交換機に例えば１枚の硬貨を投入し、その１枚の硬貨と交換に得た所定数の遊技球を上皿４７の遊技球収容部５１に収容する毎に、計数表示部８１の上面の位置に相当する位置の開口８１ｆに１つの遊技球を投入する。
【００４６】
しかして例えば遊技の途中、遊技者がガラス窓３１の左側に設置された計数表示部８１を一目した場合、最後に保持した遊技球の停止位置に一致する前面８１ａに付されている番号が何番であるかを認識することが容易に可能であり、その認識と同時に何枚の硬貨を投入して遊技球に交換したのかを知ることができる。
【００４７】
一方、遊技の最中に、例えば図柄変動装置３９が大当りに揃ったところ遊技球収容部５１に遊技球が無くなっていた場合、つまみ８１ｊをつまんで扉８１ｈを上方に摺動させ、開口窓８１ｇを開放すると、計数表示部８１で保持していた遊技球をガイド８３を通して遊技球収容部５１へ供給することができる。
【００４８】
以上、本実施例では、ガラス窓３１の左側の縁側に、上面となる位置に開口８１ｆを有し、かつ前面８１ａ、後面８１ｂ、側面８１ｃ，８１ｄを有する縦型の箱状の計数表示部８１を構成し、前面８１ａに下から順番に番号等の符号を付したから、所定の契機毎に、開口８１ｆに順次遊技球を投入してゆけば、各遊技球に各番号等の符号が対応し、遊技者が最後に投入した遊技球に対応する番号を一目するだけで、その遊技球の数を数えなくとも、その遊技球の数を遊技者が望む情報として、例えば投入した硬貨の枚数等に換算して計数することができる。
【００４９】
尚、本実施例では、計数表示部８１をガラス窓３１の左側の縁に設置しているが、この位置のみに限定されるものではなく、ガラス窓３１の右側の縁に設置しても良いし、あるいは枠体３２におけるガラス窓３１の図示左側の空きスペース等に設置しても良い。
【００５０】
図９は本発明の第４実施例の要部の構成を示す斜視図で、図８と同一部分には同一符号を付して説明を省略する。本実施例の場合、計数表示部９１は、必ずしも透明ないし半透明の部材で構成する必要はないが、後述する前面の左右の縁から突出する係止面９１ａ，９１ａが指で押す程度の圧力で復元力をもちつつ撓む性質を有する部材で構成する。
【００５１】
この計数表示部９１は、前面（前面８１ａに対応する）となる部分の左右の縁から互いに向き合う方向に係止面９１ａ，９１ａが突出しており、この前面（前面８１ａに対応する）となる部分には係止面９１ａ，９１ａで縦方向の中央に縦長の開口９１ｂが形成される。また上面９１ｆは閉塞されている。また後面８１ｂの内側（内面）には、図１０に示すように、開口９１ｂから遊技球を投入して保持した際に各遊技球の中心に対応する位置に下側から上側へ順次数値が大きくなる番号等の符号が付されている。各番号等の符号は印刷されたものでも良く、刻印される如く構成されたものでも良い。
【００５２】
次に本実施例の一使用例の作用について説明する。
先ず遊技を行うため、所定の遊技球の交換機に例えば１枚の硬貨を投入し、その１枚の硬貨と交換に得た所定数の遊技球を上皿４７の遊技球収容部５１に収容した場合、遊技者は、扉８１ｈを閉じた状態で、計数表示部９１の前面側の位置に構成される開口９１ｂに１つの遊技球を当て、かつ、そのまま一対の係止面９１ａ，９１ａに押力を加えて変形させつつ、遊技球を後面８１ｂ、側面８１ｃ，８１ｄで囲まれる空間内に押し込んで投入する。その遊技球をその空間内に押し込み終わると、その係止面９１ａ，９１ａは自らの復元力で元の形状に復元する。一方、空間内に押し込まれたその遊技球は、前面８１ａ、後面８１ｂ、側面８１ｃ，８１ｄの内側に沿って落下し、底面８１ｅに衝突して止る。このとき底面８１ｅ上に止る遊技球の中心位置は前面８１ａに付されている各番号等の符号のうち１番と付されている番号の位置に一致する。
【００５３】
しかして遊技を楽しんだ後、遊技球収容部５１内に収容された遊技球が少なくなった、あるいは無くなったことで、再び、所定の遊技球の交換機に例えば１枚の硬貨を投入し、その１枚の硬貨と交換に得た所定数の遊技球を上皿４７の遊技球収容部５１に収容した場合、遊技者は、再び、計数表示部９１の開口９１ｂにおける先に遊技球が停止している位置よりも上側の位置に１つの遊技球を投入する。すると、その遊技球は、前面８１ａ、後面８１ｂ、側面８１ｃ，８１ｄの内側に沿って落下し、後面８１ｂに付されている各番号等の符号のうち１番と付されている番号の位置に停止する先の遊技球に当接して止る。このときその遊技球の中心位置は前面８１ａに付されている各番号等の符号のうち２番と付されている番号の位置に一致する。
【００５４】
かくの如く所定の遊技球の交換機に例えば１枚の硬貨を投入し、その１枚の硬貨と交換に得た所定数の遊技球を上皿４７の遊技球収容部５１に収容する毎に、計数表示部９１の開口９１ｂに１つの遊技球を投入する。
【００５５】
しかして例えば遊技の途中、遊技者がガラス窓３１の左側に設置された計数表示部９１を正面から一目した場合、最後に保持した遊技球の停止位置に一致する前面８１ａに付されている番号が何番であるかを認識することは、正面から黙視し得る一番小さい番号よりも一つ小さい番号であるから容易に可能であり、その認識と同時に何枚の硬貨を投入して遊技球に交換したのかを知ることができる。
【００５６】
一方、遊技の最中に、例えば図柄変動装置３９が大当りに揃ったところ遊技球収容部５１に遊技球が無くなっていた場合、つまみ８１ｊをつまんで扉８１ｈを上方に摺動させ、開口窓８１ｇを開放すると、計数表示部９１で保持していた遊技球をガイド８３を通して遊技球収容部５１へ供給することができることは上記実施例と同様である。
【００５７】
以上、本実施例では、ガラス窓３１の左側の縁側に、指で押す程度の圧力で撓む一対の係止面９１ａ，９１ａを介して開口９１ｂを有し、かつ後面８１ｂ、側面８１ｃ，８１ｄを有する縦型の箱状の計数表示部９１を構成し、前面８１ａに下から順番に番号等の符号を付したから、所定の契機毎に、開口９１ｂに順次遊技球を投入してゆけば、各遊技球に各番号等の符号が対応し、遊技者が最後に投入した遊技球に対応する番号を一目するだけで、その遊技球の数を数えなくとも、その遊技球の数を遊技者が望む情報として、例えば投入した硬貨の枚数等に換算して計数することができる。
【００５８】
尚、本実施例では、計数表示部９１をガラス窓３１の左側の縁に設置しているが、この位置のみに限定されるものではなく、ガラス窓３１の右側の縁に設置しても良いし、あるいは枠体３２におけるガラス窓３１の図示左側の空きスペース等に設置しても良い。
【００５９】
図１１は本発明の第５実施例の構成を示す正面図で、図１に示す部分と同一部分には同一符号を付して説明を省略する。本実施例の場合、計数表示部１０１は、図１２にも示すように、押圧部１０３を１回押すと、表示部１０５の数値が１つカウントアップされる１０進法のカウンタである。表示部１０５は押圧部１０３の操作でドラム体が回転する機械式、あるいは押圧部１０３の操作による信号の入力を加算して例えばマトリクス状に数値的にデジタル表示する電子式等のいずれでも良い。手前側の側面にあるつまみ１０７は、所定方向に回すか、あるいは押圧することで表示部１０５のカウント値をクリアするためのものである。尚、計数表示部１０１の背面側はガラス窓３１に接着剤等で接合される側の面となる。
【００６０】
次に本実施例の一使用例の作用について説明する。
例えば、所定の遊技球の交換機に例えば１枚の硬貨を投入し、その１枚の硬貨と交換に得た所定数の遊技球を上皿４７の遊技球収容部５１に収容する毎に、計数表示部（カウンタ）１０１の押圧部１０３を１回ずつ押圧操作し、表示部１０５のカウント値を１つカウントアップする。
【００６１】
しかして例えば遊技の途中、遊技者がガラス窓３１の左側に設置された計数表示部（カウンタ）１０１の表示部１０５を一目した場合、表示部１０５のカウント値を認識することは容易に可能であり、その認識と同時に何枚の硬貨を投入して遊技球に交換したのかを知ることができる。
【００６２】
以上、本実施例では、ガラス窓３１の左側の縁側に、指による押圧操作でカウント値を１つずつカウントアップする計数表示部１０１を設置したから、所定の契機毎に、押圧部１０３を押圧すれば、遊技者が最後に投入した遊技球に対応するカウント値を一目するだけで、遊技者が望む情報として、例えば投入した硬貨の枚数等に換算して計数することができる。
【００６３】
尚、本実施例では、計数表示部１０１をガラス窓３１の左側の縁に設置しているが、この位置のみに限定されるものではなく、ガラス窓３１の右側の縁に設置しても良いし、あるいは枠体３２におけるガラス窓３１の図示左側の空きスペース等に設置しても良い。
【００６４】
また上記各実施例の作用の説明では、遊技者が望む情報として投入した硬貨の枚数を計数する場合について説明したが、本発明の使用法はこれに限定されるものではなく、その他の使用法として、図柄変動装置３９の図柄変動の回数、リーチの回数、あるいは大当りの回数等を計数しても良いことは勿論である。
【００６５】
【発明の効果】
請求項１記載の発明によれば、遊技者が、硬貨を遊技に使用するための遊技球と交換するごとに、遊技中の図柄変動ごとに、リーチごとに、大当りごとに、遊技に使用する遊技球を数値の小さい番号の付された凹部から数値の大きい番号の付された凹部へと置いてゆくことにより、遊技球の置かれていない凹部に付された数値を見るだけで、凹部に置かれた遊技球の個数を数えることなく、使った硬貨の枚数、図柄変動の回数、リーチの回数、大当りの回数などの遊技者の計数したい情報を適切に把握することができる。請求項２記載の発明によれば、遊技者が手で凹部に保持された遊技球を当該凹部から持ち上げることによって、持ち上げられた球が傾斜面を転がって遊技球収容部に入るので、凹部から取り出される遊技球が皿の上面から外側に落下することがなく、緊急用の遊技球として利用することが簡単にできる。請求項３記載の発明によれば、遊技球収容部の上面から深さが請求項２の発明と同じである場合、傾斜面の外側縁が遊技球収容部の開口よりも低くなるので、遊技者が遊技球収容部に手を入れ易く、遊技球収容部に存在する遊技球の取扱いが容易になる。
【図面の簡単な説明】
【図１】本発明の第１実施例の構成を示す正面図である。
【図２】本発明の第１実施例に係わる計数表示部の構成を示す上面図である。
【図３】図２のＡ−Ａ線に沿う断面図である。
【図４】本発明の第１実施例の変形例に係わる計数表示部の要部の構成を示す断面図である。
【図５】本発明の第２実施例の構成を示す正面図である。
【図６】本発明の第２実施例に係わる計数表示部の構成を説明する説明図である。
【図７】本発明の第３実施例の構成を示す正面図である。
【図８】本発明の第３実施例に係わる計数表示部の構成を示す斜視図である。
【図９】本発明の第４実施例に係わる計数表示部の構成を示す斜視図である。
【図１０】本発明の第４実施例に係わる計数表示部を正面からみた構成を示す斜視図である。
【図１１】本発明の第５実施例の構成を示す正面図である。
【図１２】本発明の第５実施例に係わる計数表示部の構成を示す斜視図である。
【図１３】第１の従来技術を示す斜視図である。
【図１４】第２の従来技術を示す斜視図である。
【図１５】第３の従来技術を示す斜視図である。
【符号の説明】
４７，４７’  上皿
４９，４９’  上皿レンズ
５１  遊技球収容部
６１  凹部（計数表示部）
７１  計数表示部
７１ａ  取付け面
７１ｂ  載置面
７１ｃ  側壁面
７１ｄ  係止面
７１ｈ  引抜き口
７１ｉ  ガイド板
７１ｊ  スライド板
７１ｋ  つまみ
７１ｍ  ガイド
８１  計数表示部
８１ａ  前面
８１ｂ  後面
８１ｃ  側面
８１ｄ  側面
８１ｅ  底面
８１ｆ  開口
８１ｇ  開口窓
８１ｈ  扉
８３  ガイド
９１  計数表示部
９１ａ  係止面
９１ｂ  開口
９１ｆ  上面
１０１  計数表示部（カウンタ）
１０３  押圧部
１０５  表示部
【図１】
0003574211.tif 000002
【図２】
0003574211.tif 000003
【図３】
0003574211.tif 000004
【図４】
0003574211.tif 000005
【図５】
0003574211.tif 000006
【図６】
0003574211.tif 000007
【図７】
0003574211.tif 000008
【図８】
0003574211.tif 000009
【図９】
0003574211.tif 000010
【図１０】
0003574211.tif 000011
【図１１】
0003574211.tif 000012
【図１２】
0003574211.tif 000013
【図１３】
0003574211.tif 000014
【図１４】
0003574211.tif 000015
【図１５】
0003574211.tif 000016